(57)【特許請求の範囲】
【請求項１】
傘本体と保持部材とを備え
前記傘本体は、中棒と、前記中棒の一端から放射状に伸びる複数の親骨と、隣り合った前記親骨の間に形成される傘布と、を有し、
前記保持部材は、前記傘布の内側に設けられ、保持部と前記傘布に対する固定部とを有し、
前記保持部は、親指を除く４本指を通して掴むことができる長さを有し、
前記固定部は、前記保持部の両端に配置され、
かつ、前記保持部材は、隣り合った前記親骨のほぼ中間位置に取り付けられていることを特徴とする保持具付傘。
【請求項２】
前記保持部材は、傘布の外縁部または外縁部近くに取り付けられていることを特徴とする請求項１に記載の保持具付傘。
【請求項３】
前記保持部材は、帯状に形成され、前記固定部が前記傘布に対する縫い付け、又は接着
等の固定手段により固定されていることを特徴とする請求項１又は請求項２に記載の保持具付傘。
【請求項４】
前記保持部材が、間隔をおいて複数設けられていることを特徴とする請求項１〜請求項
３の何れかに記載の保持具付傘。
【発明の詳細な説明】
【技術分野】
【０００１】
本発明は、強風による損傷を抑制するための保持部材が設けられた保持具付傘に関するものである。
【背景技術】
【０００２】
一般に、傘が強風に煽られて破損することがある。これは、雨をよけるために設けられた傘布が風圧を受けることで、傘の骨格材に負荷がかかるためである。特に、傘が破損する場合に多いのは、親骨に強力な負荷がかかり変形する、あるいは、折損する場合と、親骨と受骨との接合部であるダボに負荷がかかり破損してしまう場合とがある。
【０００３】
強風による傘の破損を防ぐためには、骨格材にかかる負荷を軽減させることが重要である。このことは従来から課題とされ、特許文献１には、中棒をスライドするロクロと露先との間に補強骨を架け渡すことで、骨格材の耐久性を強化し、骨格材の一部にかかる負荷を軽減する傘が提案されている。また、特許文献２には、親骨の中間部分にコイルバネあるいは薄板バネを組み込むことによって、風圧等の外力を受け止め、受け流す方法で骨格材への負荷を軽減する傘が提案されている。
【先行技術文献】
【特許文献】
【０００４】
【特許文献１】特開２００１−１７２１９号公報
【特許文献２】特開２０１１−２０６５０５号公報
【発明の概要】
【発明が解決しようとする課題】
【０００５】
しかしながら、特許文献１や特許文献２に記載の傘は、補強骨やコイルバネといった部材が必要となるために製作コストが増大する。また、前記部材を傘本体に組み込む構成が必要であるため、製作するのに手間がかかる。そのため、前記のような組み込み式の部材が必要な方法は、既存の傘に対して容易に適応することが出来ない。
【０００６】
本発明は、かかる実情に鑑み、強風による骨格材への負荷を軽減するための保持部材を有した傘であって、容易に装着可能な保持部材を有した保持具付傘を提供することを課題とする。
【課題を解決するための手段】
【０００７】
上記課題を解決するため、本願発明に係る保持具付傘は、傘本体と保持部材とを備え、前記傘本体は、中棒と、前記中棒の一端から放射状に伸びる複数の親骨と、隣り合った前記親骨の間に形成される傘布と、を有し、前記保持部材は、前記傘布の内側に設けられ、保持部と前記傘布に対する固定部とを有し、前記保持部は、親指を除く４本指を通して掴むことができる長さを有し、前記固定部は、前記保持部の両端に配置され、かつ、前記保持部材は、隣り合った前記親骨のほぼ中間位置に取り付けられていることを特徴とする。
【０００８】
本発明によれば、傘布に保持部材を設け、強風時には使用者が前記保持部材を掴むことで、風圧によって傘の骨格材にかかる負荷を抑制することができる。
これにより、傘が強風に煽られる場合であっても、前記保持部材を掴むことで傘布の角度を空気抵抗の少ない好ましい位置に固定することができ、骨格材にかかる負荷を軽減することができる。
【０００９】
本発明の好ましい形態では、前記保持部材は、保持部と前記傘布に対する固定部とを有し、前記固定部は保持部の両端に配置されていることを特徴とする。
これにより、使用者は保持部材をしっかりつかむことが出来るアーチ状に構成することができ、強風によって傘が揺さぶられることがあった場合にも、傘を好ましい位置に容易に保持することができる。
【００１０】
本発明の好ましい形態では、前記保持部材は、傘布の外縁部または外縁部近くに取り付けられていることを特徴とする。
このように、傘の外縁部または外縁部近くで固定することにより、傘布が強風に煽られることを抑制でき、より効果的に骨格材への負荷を軽減することができる。
【００１１】
本発明の好ましい形態では、前記保持部材は、前記傘布の内側に設けられていることを特徴とする。
このように、保持部材が傘布の内側に固定されていることにより、傘の使用者は容易に掴むことができ、雨に濡れることもない。
【００１２】
本発明の好ましい形態では、前記保持部材は、帯状に形成され、前記固定部が前記傘布に対する縫い付け、又は接着等の固定手段により固定されていることを特徴とする。
このように、直接保持部材が傘布に固定されるために、この保持部材と接着手段以外の部材を必要とせず、既存の傘に対しても保持部材を簡単に取り付けることができる。
【００１３】
本発明の好ましい形態では、前記保持部材が、間隔をおいて複数設けられていることを特徴とする。
このように、保持部材が複数設けられていることで、突如強風が吹いた際にも、使用者は容易に保持部材を見つけることができ、また、掴むことができる。
【発明の効果】
【００１４】
強風による骨格材への負荷を軽減するための保持部材を有した傘であって、容易に装着可能な保持部材を有した保持具付傘を提供することが出来る。
【図面の簡単な説明】
【００１５】
【図１】本発明の一実施形態に係る保持具付傘の斜視図である。
【図２】本発明の一実施形態に係る保持具の平面図である。
【図３】本発明の一実施形態に係る保持具を使用した状態を示す斜視図である。
【発明を実施するための形態】
【００１６】
以下、本発明の一実施形態について、図１〜図３を参照して詳細に説明する。
図１は本発明の実施形態に係る保持具付傘の斜視図である。この保持具付傘は、傘本体１と、保持部材２とを備えており、前記保持部材２は前記傘本体１の傘布１３の内側であって、周方向には露先１４と露先１４の間、かつ、径方向には露先１４とダボ１６との間に設けられている。前記傘本体１は、一般的に用いられる傘全般を意味し、折り畳み傘、日傘、ビーチパラソル等であっても良い。
【００１７】
前記保持部材２は、図２に示すように、平面長方形状に形成され、持ち手となる保持部２１と、傘本体１に固定される固定部２２とを備えている。前記保持部２１は使用者が持ちやすい程度の長さを有し、容易に変形するため、傘の使用者は保持部２１を容易に掴むことができる。
【００１８】
前記固定部２２は、保持部材２の両端に設けられている。そのため、固定部２２を傘布１３に固定した場合には、図１に示すように、保持部材２の使用時２ａはアーチ状に形成する。一方で、保持部材２の通常時２ｂには、傘布１３に密接して形成されているために、傘を雨よけとして使用する際に、使用者の邪魔とならない。
【００１９】
また、固定部２２は、傘布１３の素材によって異なる固定手段が採られる。傘布１３の素材が布地である場合には、同一素材の保持部材２を傘布１３の内側に縫合することにより固定される。また、傘布１３が樹脂素材である場合には、留具（金属、樹脂）あるいは、溶着、融着、圧着することによって固定される。
【００２０】
図３は、本発明の実施形態に係る保持具を使用した状態を示す斜視図である。図３に示すように、一方の手で中軸１１を持ち、他方の手で保持部２１を持つようにして、傘本体１を支えることができる。
【００２１】
本実施形態によれば、傘布１３の内側に保持部材２が設けられており、傘の使用者が容易に掴むことが出来るように構成されている。これにより、強風に煽られた場合であっても、保持部材２を掴んで傘布１３の位置を固定することで、強風時に傘本体１の骨格材に負荷がかかるのを抑制し、損傷を防ぐことが出来る。
【００２２】
また、本実施形態によれば、図３に示すように、一方の手で中軸１１を持ち、他方の手で保持部２１を持つようにして、傘本体を支えることができる。これにより、様々な方向から風が吹いている場合であっても、使用者の好ましい角度・方向に傘本体を保持することができ、風に煽られる影響を最小限にして歩くことができる。
【００２３】
また、本実施形態によれば、保持部材２は容易に設けることが出来る。これにより、保持部材２は既存の傘に対しても適応可能であり、保持部材２を傘布１３に取り付けることで、従来から使っている傘を保持具付傘にすることが出来る。
【００２４】
なお、実施形態では保持部材２を帯状に形成した例を示したが、ひも状あるいは柔軟なチューブ状、手で握り易い球状のものを採用しても良い。また、保持部材２の材料や設ける位置や数も、傘の使用者の身長や年齢、傘の大小に合わせて、適宜変更しても良い。
【符号の説明】
【００２５】
１        傘本体
１１      中棒
１２      親骨
１３      傘布
１４      露先
１５      受骨
１６      ダボ
１７      ロクロ
２        保持部材
２１      保持部
２２      設置部
Ａ        使用者
【要約】
【課題】
強風による骨格材への負荷を軽減するための保持部材を有した傘であって、容易に装着可能な保持部材を有した保持具付傘を提供することを課題とする。
【解決手段】
傘本体１と保持部材２とを備え、前記傘本体１は、中棒１１と、前記中棒１１の一端から放射状に伸びる複数の親骨１２と、隣り合った前記親骨１２の間に形成される傘布１３と、を有し、前記保持部材２は、前記傘布１３に固定されていることを特徴とする。このように構成しているために、強風時には使用者が前記保持部材２を掴むことで、風圧による傘本体１の骨格材にかかる負荷を抑制することができる。
【選択図】図１【図１】
0005713329.tif 000002
【図２】
0005713329.tif 000003
【図３】
0005713329.tif 000004